【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
ガソリンと当該ガソリンよりも沸点の低いアルコールとが混合された燃料を使用可能な内燃機関に適用され、当該内燃機関のラジエータに設けられた電動式の冷却ファンの駆動を制御するラジエータの冷却ファン制御装置であって、
燃料タンクへの燃料の給油が行なわれてからの燃料タンク内における燃料の蒸発量が所定量未満のときには当該燃料のアルコール濃度が所定濃度よりも高いとして機関停止後に冷却ファンを駆動する一方、当該給油が行なわれてからの燃料タンク内における燃料の蒸発量が前記所定量以上であるときには当該燃料のアルコール濃度が前記所定濃度以下であるとして機関停止後における冷却ファンの駆動を制限する
ことを特徴とするラジエータの冷却ファン制御装置。
【請求項２】
請求項１に記載のラジエータの冷却ファン制御装置において、
当該燃料のアルコール濃度が前記所定濃度以下であるときには機関停止後における冷却ファンの駆動を禁止する
ことを特徴とするラジエータの冷却ファン制御装置。
【請求項３】
請求項１又は請求項２に記載のラジエータの冷却ファン制御装置において、
内燃機関は燃料タンク内の蒸発燃料を吸気通路に導入して処理する蒸発燃料処理装置を備えるものであって、
当該給油が行なわれてから吸気通路に導入された蒸発燃料量の積算値であるパージ量積算値を算出するとともに、前記パージ量積算値が所定値未満のときには当該燃料のアルコール濃度が前記所定濃度よりも高いとして機関停止後に冷却ファンを駆動する一方、前記パージ量積算値が前記所定値以上であるときには当該燃料のアルコール濃度が前記所定濃度以下であるとして機関停止後における冷却ファンの駆動を制限する
ことを特徴とするラジエータの冷却ファン制御装置。
【請求項４】
請求項１〜請求項３のいずれか一項に記載のラジエータの冷却ファン制御装置において、
燃料のアルコール濃度を推定する推定手段を備え、
前記推定手段により推定された当該燃料のアルコール濃度が前記所定濃度以下である場合には、燃料タンクへの燃料の給油が行なわれてからの燃料タンク内における燃料の蒸発量にかかわらず機関停止後における冷却ファンの駆動を制限する
ことを特徴とするラジエータの冷却ファン制御装置。
【請求項５】
ガソリンと当該ガソリンよりも沸点の低いアルコールとを混合した燃料を使用可能な内燃機関に適用され、当該内燃機関のラジエータに設けられた電動式の冷却ファンの駆動を制御するラジエータの冷却ファン制御装置であって、
燃料タンクへの燃料の給油が行なわれてからの燃料タンク内の燃料におけるアルコールの蒸発量が所定量未満のときには機関停止後に冷却ファンを駆動する一方、当該給油が行なわれてからの前記アルコールの蒸発量が前記所定量以上であるときには機関停止後における冷却ファンの駆動を制限する
ことを特徴とするラジエータの冷却ファン制御装置。
【請求項６】
ガソリンと当該ガソリンよりも沸点の低いアルコールとを混合した燃料を使用可能な内燃機関に適用され、当該内燃機関のラジエータに設けられた電動式の冷却ファンの駆動を制御するラジエータの冷却ファン制御装置であって、
燃料タンクへの燃料の給油が行なわれてから所定期間が経過するまでは機関停止後に冷却ファンを駆動する一方、当該給油が行なわれてから前記所定期間が経過した後は機関停止後における冷却ファンの駆動を制限する
ことを特徴とするラジエータの冷却ファン制御装置。
【手続補正２】
【補正対象書類名】明細書
【補正対象項目名】０００９
【補正方法】変更
【補正の内容】
【０００９】
以下、上記課題を解決するための手段及びその作用効果について記載する。
（１）請求項１に記載の発明は、ガソリンと当該ガソリンよりも沸点の低いアルコールとが混合された燃料を使用可能な内燃機関に適用され、当該内燃機関のラジエータに設けられた電動式の冷却ファンの駆動を制御するラジエータの冷却ファン制御装置であって、燃料タンクへの燃料の給油が行なわれてからの燃料タンク内における燃料の蒸発量が所定量未満のときには当該燃料のアルコール濃度が所定濃度よりも高いとして機関停止後に冷却ファンを駆動する一方、当該給油が行なわれてからの燃料タンク内における燃料の蒸発量が前記所定量以上であるときには当該燃料のアルコール濃度が前記所定濃度以下であるとして機関停止後における冷却ファンの駆動を制限することをその要旨としている。
【手続補正３】
【補正対象書類名】明細書
【補正対象項目名】００１１
【補正方法】変更
【補正の内容】
【００１１】
また、外気温の上昇や機関運転の継続に伴い燃料タンク内に貯留されている燃料の温度が上昇すると、まずは沸点の低いアルコールが蒸発するようになる。そのため、上記構成によるように、燃料タンクへの燃料の給油が行なわれてからの燃料タンク内における燃料の蒸発量が所定量未満のときには、燃料タンク内に貯留されている燃料から蒸発したアルコールの量が少なく当該燃料には多くのアルコールが含まれているとして燃料のアルコール濃度が所定濃度よりも高いとみなすことができる。
一方、燃料タンクへの燃料の給油が行なわれてからの燃料タンク内における燃料の蒸発量が上記所定量以上であるときには、燃料タンク内に貯留されている燃料から多くのアルコールが蒸発しており当該燃料にはアルコールが多くは含まれていないとして燃料のアルコール濃度が上記所定濃度以下であるとみなすことができる。従って、燃料タンクへの燃料の給油が行なわれてからの燃料タンク内における燃料の蒸発量に基づいて同燃料タンク内に貯留されている燃料のアルコール濃度を間接的に把握することが可能となる。
そして、上記構成によれば、燃料のアルコール濃度が所定濃度よりも高いとされるときには、機関停止後において燃料供給系における燃料の温度が当該燃料の沸点を上回ることとなり、当該液体燃料中にベーパが発生するおそれがあるとして冷却ファンが駆動される。これにより、当該燃料の冷却が図られることで液体燃料中にベーパが発生することを抑制することができる。このため、その後の機関再始動時においてベーパロック現象が生じて燃料噴射を行なうことができなくなることを好適に抑制することができる。
【手続補正４】
【補正対象書類名】明細書
【補正対象項目名】００１２
【補正方法】変更
【補正の内容】
【００１２】
一方、燃料のアルコール濃度が上記所定濃度以下であるとされるときには、機関停止後において燃料供給系における燃料の温度が到達可能な最高温度となったとしても当該燃料の沸点を上回ることはなく液体燃料中にベーパが発生するおそれがないとして冷却ファンの駆動が制限される。これにより、液体燃料中にベーパが発生しないときまで冷却ファンが無駄に駆動されることを好適に抑制することができ、冷却ファンの駆動に伴うバッテリの電力消費を好適に抑制することができる。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
（３）請求項１又は請求項２に記載のラジエータの冷却ファン制御装置は、請求項３に記載の発明によるように、内燃機関は燃料タンク内の蒸発燃料を吸気通路に導入して処理する蒸発燃料処理装置を備えるものであって、当該給油が行なわれてから吸気通路に導入された蒸発燃料量の積算値であるパージ量積算値を算出するとともに、前記パージ量積算値が所定値未満のときには当該燃料のアルコール濃度が前記所定濃度よりも高いとして機関停止後に冷却ファンを駆動する一方、前記パージ量積算値が前記所定値以上であるときには当該燃料のアルコール濃度が前記所定濃度以下であるとして機関停止後における冷却ファンの駆動を制限するといった態様をもって具体化することができる。この場合、給油が行なわれてからの燃料タンク内の燃料の蒸発量をパージ量積算値から的確に把握することができる。従って、当該パージ量積算値に基づいて燃料のアルコール濃度を的確に把握することができる。
【手続補正９】
【補正対象書類名】明細書
【補正対象項目名】００１８
【補正方法】変更
【補正の内容】
【００１８】
（４）燃料のアルコール濃度を推定する推定手段を備えるものにあっては、請求項４に記載の発明によるように、前記推定手段により推定された当該燃料のアルコール濃度が前記所定濃度以下である場合には、燃料タンクへの燃料の給油が行なわれてからの燃料タンク内の燃料の蒸発量にかかわらず機関停止後における冷却ファンの駆動を制限するといった態様をもって具体化することが望ましい。この場合、給油が行なわれてからの燃料タンク内の燃料の蒸発量を把握せずとも、当該燃料のアルコール濃度を把握することができる。このため、上記蒸発量の算出に伴う演算負荷の増大を的確に回避することができる。
【手続補正１０】
【補正対象書類名】明細書
【補正対象項目名】００１９
【補正方法】変更
【補正の内容】
【００１９】
（５）請求項５に記載の発明は、ガソリンと当該ガソリンよりも沸点の低いアルコールとを混合した燃料を使用可能な内燃機関に適用され、当該内燃機関のラジエータに設けられた電動式の冷却ファンの駆動を制御するラジエータの冷却ファン制御装置であって、燃料タンクへの燃料の給油が行なわれてからの燃料タンク内の燃料におけるアルコールの蒸発量が所定量未満のときには機関停止後に冷却ファンを駆動する一方、当該給油が行なわれてからの前記アルコールの蒸発量が前記所定量以上であるときには機関停止後における冷却ファンの駆動を制限することをその要旨としている。
【手続補正１１】
【補正対象書類名】明細書
【補正対象項目名】００２２
【補正方法】変更
【補正の内容】
【００２２】
（６）請求項６に記載の発明は、ガソリンと当該ガソリンよりも沸点の低いアルコールとを混合した燃料を使用可能な内燃機関に適用され、当該内燃機関のラジエータに設けられた電動式の冷却ファンの駆動を制御するラジエータの冷却ファン制御装置であって、燃料タンクへの燃料の給油が行なわれてから所定期間が経過するまでは機関停止後に冷却ファンを駆動する一方、当該給油が行なわれてから前記所定期間が経過した後は機関停止後における冷却ファンの駆動を制限することをその要旨としている。